(57)【要約】【課題】待機衝撃電流として消費される電力の無駄を無くすことができる猿侵入防止用電気柵を提供すること。【解決手段】防護帯８を下方に設置し、その上方に裸電線１３Ａ，１３Ｂ，１３Ｃを張設し、裸電線１３Ａ，１３Ｂ，１３Ｃに衝撃電圧発生器１００からの衝撃電流を流す方式の、猿の侵入を防止するための猿侵入防止用電気柵において、防護帯８の振動を電気的に検出する振動検出手段３０を設けた。また、振動検出手段３０からの振動検出電気信号により、衝撃電圧発生器１００から裸電線１３Ａ，１３Ｂ，１３Ｃへ流す衝撃電流を制御する手段を設けた。【選択図】　　図２
2004000063.tif 000002
【特許請求の範囲】
【請求項１】
防護帯を下方に設置し、その上方に裸電線を張設し、裸電線に衝撃電圧発生器からの衝撃電流を流す方式の、猿の侵入を防止するための猿侵入防止用電気柵において、
防護帯の振動を電気的に検出する振動検出手段を備えていることを特徴とする猿侵入防止用電気柵。
【請求項２】
防護帯の振動を電気的に検出する振動検出手段からの振動検出電気信号により、衝撃電圧発生器から裸電線へ流す衝撃電流を制御する手段を備えていることを特徴とする請求項１に記載の猿侵入防止用電気柵。
【発明の詳細な説明】
【０００１】
【発明の属する技術分野】
本発明は、防護帯を下方に設置し、その上方に裸電線を張設し、その裸電線に衝撃電流を流して田畑への猿の侵入を防止する猿侵入防止用電気柵に関するものである。
【０００２】
【従来の技術】
近年、中山間地域の田畑において、野生動物、とくに猿の侵入による被害が多発している。そのため田畑の作物等を猿の侵入による被害から防止するために、田畑の周囲に電気柵を設置することが行われている。このような猿侵入防止用電気柵としては特許第２６１９２０９号公報に記載されている構造のものが知られている。
【０００３】
この公報に記載の猿侵入防止用電気柵は、図１８に示すように猿の出没が予想される中山間地域の田畑において、所定間隔（約３ｍ間隔）で立設した各支柱７間の下方にネットや金網又はフェンス等の防護帯８を地上より一定の高さ（地上約１．５ｍ）で田畑の周囲に張り巡らし、その上方に裸電線１３Ａ，１３Ｂ，１３Ｃを張設したものである。この裸電線１３Ａ，１３Ｂ，１３Ｃに衝撃電圧発生器１の出力線４を接続し裸電線１３Ａ，１３Ｂ，１３Ｃに衝撃電流を通電している。そして図１９に示すように、猿は防護帯８をよじ登り防護帯８に体をあずける格好で、上方の裸電線１３Ａ，１３Ｂ，１３Ｃに手や顔等の体の一部が接触すると電撃を受け、防護帯８の外側（猿侵入側）に落下する。猿は、このときの電撃を記憶し（学習し）再び侵入する意欲を失い侵入をあきらめる。
【０００４】
一方、衝撃電圧発生器は通常の場合、電池（バッテリー）を電源としていることが多く、図１８では、バッテリーボックス３内のバッテリーを太陽電池２で充電し、これによって衝撃電圧発生器１に直流電圧を与えるようにしている。また、衝撃電圧発生器１からは、アース線５が出ており、アース線５はアース棒６に接続されて接地されている。なお、図１８中の９は防護帯８の上端を吊るための吊り具１０を取り付けるための亜鉛メッキ鉄線、１１及び１２は防護帯８の下端を地上に固定するための杭、１４は衝撃電圧発生器１の出力線４及び裸電線１３Ａ，１３Ｂ，１３Ｃ及びアース線５を支柱に絶縁状態で支持するための碍子、１５は一番上の裸電線１３Ａと三番目の裸電線１３Ｃを電気的に接続するための導線、１６は二番目の裸電線１３Ｂと亜鉛メッキ鉄線９を電気的に接続するための導線、１７は裸電線１３Ａ，１３Ｂ，１３Ｃを垂直方向に連結する絶縁体からなるテグスである。上述のように亜鉛メッキ鉄線９は、防護帯８を吊るために使用されると同時に、衝撃電流を流すための裸電線としても使用されている。
【０００５】
【発明が解決しようとする課題】
しかしながら、上述した従来の猿侵入防止用電気柵において、猿はいつ出没するかわからないので常時衝撃電流を流していなければならない。一日のうち猿が出没している時間と出没しない時間を比較すればはるかに出没する時間が短い。つまり、いつ出没するかわからない猿に対して常時衝撃電流を通電していなければならないのである。このように従来の猿侵入防止用電気柵は、かなり多くの無駄な電力を消費していることになる。
【０００６】
そこで、本発明が解決しようとする課題は、待機衝撃電流として消費される電力の無駄を無くすことができる猿侵入防止用電気柵を提供することにある。
【０００７】
【課題を解決するための手段】
上記の課題を解決するために、本発明では、猿の防護帯へのよじ登りによる防護帯の振動を検出し、この振動を検出したときのみ衝撃電圧発生器を作動させ、猿の出没時のみ衝撃電流を裸電線に通電させるようにした。
【０００８】
具体的には　猿が防護帯によじ登るとき防護帯は振動するが、この猿による防護帯の振動を電気信号で取り出し、この電気信号で衝撃電圧発生器を作動させ衝撃電流を裸電線に通電させるものである。
【０００９】
すなわち、本発明の猿侵入防止用電気柵は、防護帯を下方に設置し、その上方に裸電線を張設し、裸電線に衝撃電圧発生器からの衝撃電流を流す方式の、猿の侵入を防止するための猿侵入防止用電気柵において、防護帯の振動を電気的に検出する振動検出手段を備えていることを特徴とする。また、防護帯の振動を電気的に検出する振動検出手段からの振動検出電気信号により、衝撃電圧発生器から裸電線へ流す衝撃電流を制御する手段を備えていることを特徴とする。
【００１０】
このような構成とすることにより、猿が防護帯に接触しないときは衝撃電圧発生器を作動させず、猿が防護帯に接触しその振動が発生したときのみ衝撃電圧発生器を作動させ、裸電線へ衝撃電流を流すようにすることができる。これにより、衝撃電流を発生させるために使用される衝撃電圧発生器の電池の消耗が著しく少なくなり、電池の持続時間を著しく延ばすことができる。
【００１１】
【発明の実施の形態】
以下、図面に示す実施例に基づき本発明の実施の形態を説明する。
【００１２】
本発明の猿侵入防止用電気柵は、図１８に示した従来のものと同様に、所定間隔（約３ｍ間隔）で立設した各支柱７間の下方にネットや金網又はフェンス等の防護帯８を地上より一定の高さ（地上約１．５ｍ）で田畑の周囲に張り巡らし、その上方に裸電線１３Ａ，１３Ｂ，１３Ｃを張設したものであるが、これに加えて本発明では、防護帯の振動を電気的に検出する振動検出手段を防護帯に設けている。
【００１３】
図１には、本実施例において振動検出手段を構成する水銀スイッチを示す。図１は、水銀スイッチ３０の断面図である。同図に示すように、水銀スイッチ３０は、ガラス管３１に水銀玉３２を封入したものである。ガラス管３１は直径約５ｍｍ，長さ約２０ｍｍ程度で、このガラス管３１には端子Ａ及び端子Ｂの一端が差し込まれており、封入されている水銀玉３２はガラス管３１内で自由に移動することができる。この水銀スイッチ３０を図２のように防護帯８（フェンス）の番線８Ａに接着剤４０等で取り付ける。
【００１４】
図３は図２の拡大図であり、水銀スイッチ３０の部分は拡大且つ透視断面で表している。また、図４は防護帯８の番線８Ａに水銀スイッチ３０を番線８Ａと直交する形で取り付けた部分を示す図であり、（ａ）はその正面図、（ｂ）は平面図、（ｃ）は右側面図である。この図４ではわかりやすいように接着剤４０を省略して示している。
【００１５】
図２〜図４に示すように水銀スイッチ３０を番線８Ａに取り付けることにより、防護帯８が左右に振動すると番線８Ａも左右に振動し、水銀スイッチ３０の中の水銀玉３２は左右に振れ、その端子Ａ及び端子Ｂは電気的なショートとオープンを繰り返すことになる。
【００１６】
そして、水銀スイッチ３０の端子Ａ及び端子Ｂに図５に示すように抵抗７１を通して１２Ｖの直流電圧を加えて、防護帯が静止状態から振動状態へ変化したときの端子Ａ，端子Ｂ間の電圧の変化を観測すると、図６の（ｂ）又は（ｄ）のようになる。すなわち、防護帯が静止状態から振動状態へ変化し、図６（ａ）に示すように水銀スイッチ３０の水銀玉３２が端子Ａと端子Ｂをショート状態から開放状態へ変化させた場合は、図６（ｂ）に示すように端子Ａ，端子Ｂ間の電圧は立ち上がりの変化の波形になる。一方、水銀スイッチ３０の水銀玉３２が図６（ｃ）のように端子Ａと端子Ｂを開放状態からショート状態に変化させた場合は、図６（ｄ）に示すように立ち下がり変化の波形になる。いずれにしても端子Ａ，端子Ｂ間には０Ｖ→１２Ｖ又は１２Ｖ→０Ｖへ変化するパルス状の電気信号が検出されることになる。
【００１７】
この電気信号を図７に示す振動検出手段の回路中の２つの単安定マルチバイブレータ型のタイマー（ＭＯＳ型デジタルＩＣの一例としてＤＵＡＬ　ＰＲＥＣＩＳＩＯＮ　ＲＥＴＲＩＧＧＥＲＡＢＬＥ／ＲＥＳＥＴＴＡＢＬＥ　ＭＯＮＯＳＴＡＢＬＥ　ＭＵＬＴＩＶＩＢＲＡＴＯＲ　４５３８）に導く。図７中の単安定マルチバイブレータ型のタイマー９０Ａは、その入力端子９１Ａの入力信号の立ち上がりで駆動され、端子９２Ａ及び端子９３Ａに接続されたコンデンサー９４Ａ、並びに抵抗器９５Ａの値によって決定される一定の幅のパルス信号が端子９６Ａに発生する。このパルス電圧の幅は通常２４０秒に設定される。２４０秒という時間は、猿が防護帯に飛びついてその振動により猿の存在を確認して電撃により退散させるまでの経験的に必要かつ十分な時間であるが、この２４０秒に限定することなく状況により変化させる場合がある。
【００１８】
一方、図７中の単安定マルチバイブレータ型のタイマー９０Ｂは、その入力端子９１Ｂの入力信号の立ち下がりで駆動され、端子９２Ｂ及び端子９３Ｂに接続されたコンデンサー９４Ｂ、並びに抵抗器９５Ｂの値によって決定される一定の幅のパルス電圧が端子９６Ｂに発生する。このパルス信号の幅も単安定マルチバイブレータ型のタイマー９０Ａと同じ幅の約２４０秒になるよう設定されている。
【００１９】
単安定マルチバイブレータ型のタイマー９０Ａと単安定マルチバイブレータ型のタイマー９０Ｂの出力がＯＲ回路９７に導入される。したがって、ＯＲ回路９７の出力端子９８には、入力が図６（ｂ）のような立ち上がりの場合も　図６（ｄ）のような立下りの場合も約２４０秒の幅のパルス電圧が振動検出電気信号として発生することになる。そして、この約２４０秒の時間だけ衝撃電圧発生器を作動させるのである。
【００２０】
図８は衝撃電圧発生器１００の系統図、図９はその代表的な回路図である。図８において、１０１は直流電源（電池）、１０２は昇圧用ＤＣ−ＤＣコンバータ回路、１０３はトリガ信号発生回路、１０４は充放電回路、１０５は高電圧発生回路、１０７は出力端子であり、端子１０７に約１秒間に一回の割合で繰り返すパルス状の衝撃電圧を発生する。
【００２１】
この動作を図９に示す代表的な回路図により説明する。同図においてスイッチＳ１が投入されると、直流１２Ｖの電圧が昇圧用ＤＣ−ＤＣコンバータ回路１０２へ供給される。昇圧用ＤＣ−ＤＣコンバータ１０２は、トランジスタ２個と発振トランスを用いて構成されたマルチバイブレータ型昇圧用ＤＣ−ＤＣコンバータである。その出力がダイオードＤ１及び抵抗Ｒ１を通して充放電用コンデンサーＣ０を約２００Ｖまで充電する。２００Ｖまでの充電に要する時間は約０．５秒ぐらいになるよう昇圧用ＤＣ−ＤＣコンバータ回路の入力電流を制御する抵抗Ｒ２の値を設定してある。そして充放電用コンデンサーＣ０は出力トランスＴ０の一次側巻き線を通してサイリスター（ＳＣＲ）のアノードに接続されている。
【００２２】
一方、直流１２Ｖの電圧はトリガ信号発生回路１０３にも供給されている。このトリガ信号発生回路１０３はＰＵＴ（プログラマブル・ユニジャンクション・トランジスタ）を用いたトリガ信号発生回路である。トリガ信号はＰＵＴのカソード端子Ｋ１から取り出すことができる。トリガ信号発生回路１０３中のＲ３，Ｃ３，Ｒ４，Ｒ５の値を変えることでトリガ信号の周期は自由に変えることができる。本実施例では、トリガ信号の周期は約１秒間になるようＲ３，Ｃ３，Ｒ４，Ｒ５の値が設定されている。このトリガ信号がコンデンサーＣ４を通してＳＣＲのゲート端子Ｇ１に印加されている。ＳＣＲのゲート端子Ｇ１にトリガ信号が印加されるとＳＣＲは導通し充放電コンデンサーＣ０に充電された電荷がＣ０→出力トランスＴ０の１次巻線→ＳＣＲのアノードの方向へ急放電され、出力トランスＴ０の１次巻線には急激に変化する電流が流れる。このとき出力トランスＴ０の２次側には瞬間約７０００ボルト程度の高圧の衝撃電圧が発生する。このようにして約１秒の間隔で繰り返す衝撃電圧を出力端子１０７に発生させる。
【００２３】
図１０は、この状態の各箇所の電圧のタイミングを示すタイミングチャートであり、（ａ）は充放電コンデンサーＣ０の両端電圧、（ｂ）はトリガ信号の電圧、（ｃ）は衝撃電圧である。この衝撃電圧を田畑の周囲に張り巡らせた防護帯の上方の裸電線に接続し、マイナスは地面にアースし、また防護帯もマイナスに接続する。
【００２４】
衝撃電圧発生器は、図８においてスイッチＳ１が投入されれば作動する。そこで、図１１に示すように衝撃電圧発生器が水銀スイッチ３０からの振動検出電気信号により作動するようにするため、リレーＲＬ及びトランジスタＴｒ１を接続し、トランジスタＴｒ１のベースには図７にて説明した端子９８を接続するようにしている。
【００２５】
以下、図１１の回路の動作を説明する。図１１においてトランジスタＴｒ１のベースに図７の端子９８からの振動検出電気信号を印加するようにしている。この振動検出電気信号の幅は約２４０秒である。トランジスタＴｒ１のコレクターにはリレーＲＬの巻線が接続されている。リレーＲＬの接点がＳ３である。Ｔｒ１のベースに上記の振動検出電気信号が印加されるとＴｒ１は導通し、これによってリレーＲＬが作動し、その接点Ｓ３が閉じられ衝撃電圧発生器１００が作動しはじめる。この回路では約２４０秒後には振動検出電気信号が無くなり、Ｔｒ１は非導通となり、その結果リレーＲＬの作動が止まって接点Ｓ３が開かれ衝撃電圧発生器１００は作動を停止する。このようにして防護帯の振動を水銀スイッチ３０により検出して振動の発生時のみ衝撃電圧発生器１００を作動させる。
【００２６】
このようにして防護帯の振動を検出し、その振動を検出直後約２４０秒間のみ裸電線に衝撃電流を流し猿の侵入を防止する。約２４０秒後は衝撃電流を停止する。そして次の猿の防護帯への飛びつき、よじ登り等を待つことになる。
【００２７】
この猿の飛びつきのない、待機の時間、すなわち衝撃電流停止の時間であっても図７の振動検出手段の回路には通電しておかねばならないが、この回路に使用するデジタルＩＣはＭＯＳ型ＩＣを使用するので、この回路での消費電力はきわめて少なく、その消費電力は衝撃電圧発生器の消費電力に比して無視してよい。すなわち、猿が出没しないときはほとんど電力を消費することなく猿の出没を待ち、猿の出没時にはただちに衝撃電圧発生器を作動させ裸電線に衝撃電流を流し猿の侵入を防止する。したがって、衝撃電圧発生器の電源である電池の無駄をなくし、これによって電池の持続時間を著しく延ばすことができ有益である。
【００２８】
以上の実施例の説明では、説明の便宜上、防護帯の一箇所に水銀スイッチ３０を取り付けた例によって説明した。しかし現実的には、猿は田畑の周囲に張り巡らされた防護帯のどの位置に飛びつくかわからない。したがって水銀スイッチは一箇所では不十分である。したがって、防護帯８の各スパン（各支柱７間）毎に水銀スイッチを取り付ける必要がある。
【００２９】
以下、水銀スイッチを仮に三箇所に取り付けた例について説明する。
【００３０】
図１２は三つのうちの一つの水銀スイッチ３０ａによる振動検出手段の回路図である。図１２において、水銀スイッチ３０ａには図７と同じ回路を接続し、図７の端子９８に相当する端子ａ１をＯＲ回路１６０ａの入力端子ａ２に接続する。ＯＲ回路１６０ａのもう一つの入力端子ａ３には雑音防止のため抵抗ａ４を接続しマイナスに落とす。そして水銀スイッチ３０ａへの接続端子として端子ａ１０，端子ａ１１を設ける。またＯＲ回路１６０ａの外部への出力端子としての端子ａ１２を設ける。さらに、後述する他の水銀スイッチによる振動検出手段からの振動検出電気信号のＯＲ回路１６０ａへの入力端子として、端子ａ１３を設ける。そしてこの振動検出手段を作動させるための電源を受けるためのプラス端子として端子ａ１４を、またマイナス端子としてａ１５を設ける。このように結線し構成した振動検出手段の回路を以下「モジュール」と呼ぶ。
【００３１】
すなわち、一つのモジュールは、図１２に示すモジュールａでいえば、ａ１０〜ａ１５の端子を有し、端子ａ１０，端子ａ１１に水銀スイッチ３０ａを接続し、端子ａ１４に直流１２Ｖを印加し、端子ａ１５にマイナスを接続したものである。このモジュールａでは、端子ａ１２に防護帯の振動時に一定の幅の振動検出電気信号（パルス電圧）を発生することになる。
【００３２】
水銀スイッチを３箇所（１スパンに１個ずつ　計３スパン）に取り付けた場合を下記に説明する。
【００３３】
まず、各水銀スイッチによる振動検出手段の回路（モジュール）を３個作る。モジュールは上述のような回路構成であるから、デジタルＩＣ２個（ＤＵＡＬ　ＰＲＥＣＩＳＩＯＮ　ＲＥＴＲＩＧＧＥＲＡＢＬＥ／ＲＥＳＥＴＴＡＢＬＥ　ＭＯＮＯＳＴＡＢＬＥ　ＭＵＬＴＩＶＩＢＲＡＴＯＲ　４５３８と　ＱＵＡＤ　２　ＩＮＰＵＴ　ＯＲ　ＧＡＴＥ　４０７１）と抵抗器４個、コンデンサー２個でプリント基板上に半田付けで結線して出来上がる。このモジュールを図１３及び図１４に示すように、各水銀スイッチ３０ａ，３０ｂ，３０ｃの近傍に、接着剤，針金等で取り付ける。なお、図１３及び図１４中のａ，ｂ，ｃはモジュール、１７０，１７０ａ，１７０ｂは後述する３芯の接続用のケーブルである。
【００３４】
そして、これらのモジュールａ，ｂ，ｃは図１５及び図１６に示すように接続する。図１５において、モジュールａの端子ａ１０，端子ａ１１に水銀スイッチ３０ａを接続する。またモジュールｂの端子ｂ１０，端子ｂ１１に水銀スイッチ３０ｂを、そしてモジュールｃの端子ｃ１０，端子ｃ１１に水銀スイッチ３０ｃをそれぞれ接続する。モジュールａの端子ａ１４には直流１２Ｖの電源を接続し、端子ａ１４と端子ｂ１４、及び端子ｂ１４と端子ｃ１４とをそれぞれケーブルで接続する。また、モジュールａの端子ａ１５には電源のマイナスを接続し、端子ａ１５と端子ｂ１５及び端子ｂ１５と端子ｃ１５をそれぞれケーブルで接続するとａ、ｂ、ｃの各モジュールには直流１２Ｖの電圧が印加されることになる。
【００３５】
さらに、モジュールａのＯＲ回路１６０ａの入力端子ａ１３とモジュールｂのＯＲ回路１６０ｂの出力端子ｂ１２をケーブルで接続するとともに、モジュールｂのＯＲ回路１６０ｂの入力端子ｂ１３とモジュールｃのＯＲ回路１６０ｃの出力端子ｃ１２をケーブルで接続する。これにより、三つの水銀スイッチ３０ａ，３０ｂ，３０ｃの防護帯の振動による出力は全てＯＲ回路に接続されたことになる。よってモジュールａの端子ａ１２にいずれかのモジュールの出力電圧を振動検出電気信号として発生することになる。
【００３６】
各モジュールａ，ｂ，ｃは、図１６に示すように３芯のケーブル１７０ａ及び１７０ｂで接続すればよい。そして図１６において、モジュールａの端子ａ１２を図１１のトランジスタＴｒ１のベースに相当する図１６のベース１８０に導くよう接続すれば、三つの水銀スイッチのうちのいずれかの水銀スイッチの防護帯の振動による振動検出電気信号によって衝撃電圧発生器１００を作動させ、衝撃電圧発生器１００の出力端子１８１に衝撃電圧を発生することになる。実際の設置接続工事においては、図１６に示すように、振動検出電気信号を衝撃電圧発生器側へ供給する信号線１７５及び電源（直流１２Ｖ）のプラス線１７６とマイナス線１７７を３芯のケーブル１７０で接続する。
【００３７】
以上のようにすることにより、防護帯の三箇所のいずれに猿が飛びついたり、よじ登ったりしても衝撃電圧発生器１００は作動し衝撃電流を防護帯の上方の裸電線に一定時間（この場合約２４０秒間）通電し猿の侵入を防止することができる。また、一定時間（この場合約２４０秒間）後は衝撃電圧発生器１００は作動を停止し、つぎの猿の飛びつきによる防護帯の振動を待つ。
【００３８】
なお、図１６において、各モジュールの端子ａ１４，ｂ１４，ｃ１４は赤色端子とし、端子ａ１５，ｂ１５，ｃ１５は黒色端子としている。したがって、各モジュールに電源を接続する場合、赤色端子は赤色端子どうし、黒色端子は黒色端子どうしを接続すればよい。また、ＯＲ回路においては、出力用の端子ａ１２，ｂ１２，ｃ１２を黄色端子、入力用の端子ａ１３，ｂ１３，ｃ１３を白色端子としている。したがって、これらの接続はモジュールａの白色端子とモジュールｂの黄色端子及びモジュールｂの白色端子とモジュールｃの黄色端子を接続すればよい。これにより、モジュールａの端子ａ１２より防護帯の振動による振動検出電気信号を取り出すことができる。
【００３９】
図１７は、実際のモジュールの接続状態を示す図であり、（ａ）はカバーａ１を取り付けた状態を示し、（ｂ）はカバーａ１を取り外した状態を示す。この図に示すように、端子ａ１０，ａ１１には水銀スイッチ３０ａを接続し、端子ａ１４，ａ１５には電源のプラス側とマイナス側につながるプラス線１７６とマイナス線１７７をそれぞれ接続し、また、端子ａ１２には信号線１７５を接続している。そして、端子ａ１３には前段のモジュールからの振動検出電気信号を受ける信号線を接続している。
【００４０】
以上、水銀スイッチを三箇所に取り付けた実施例について説明したが、実際の猿侵入防止用電気柵は周囲長が１００ｍ以上あり、例えば、周囲長が３００ｍの場合、図１８における支柱７間の間隔（スパン）を３ｍとすると約１００スパンあることになる。この場合、１００個の水銀スイッチと１００個のモジュールを取り付けることになる。そして、その接続は、まず電源のプラス側とマイナス側を接続する。その際は先に説明したように、赤色端子は赤色端子どうし、また、黒色端子は黒色端子どうし接続すればよい。次に、各モジュールの振動検出電気信号を、その後段のモジュールのＯＲ回路に入力するよう接続する。その際も先に説明したように、前段のモジュールの黄色端子と後段のモジュールの白色端子を接続すればよい。この接続作業を繰り返し、１００個の水銀スイッチと１００個のモジュールを接続する。
【００４１】
このようにすることにより、最終モジュールの信号出力端子（黄色端子、図１６の場合、端子ａ１２）に何れのスパンの振動検出電気信号も出力することができる。そして、図１６に示すようにケーブル１７０で端子ａ１２とトランジスタＴｒ１のベースを、また、端子ａ１４と電源のプラス側、そして、端子ａ１５と電源のマイナス側を、それぞれ接続する。これによって、何れのスパンに猿が飛びついても、防護帯の振動を検出し、その振動検出電気信号により衝撃電圧発生器を作動させることができる。また、モジュールのプリント基板の中に水銀スイッチを半田付けで取り付け、水銀スイッチをモジュールの中に封じ込めることにより、モジュールそのものを防護帯の振動を検出する振動検出手段とすることもできる。
【００４２】
【発明の効果】
本発明によれば、猿が防護帯に接触しないときは衝撃電圧発生器は作動せず、猿が防護帯に接触しその振動が発生したときのみ衝撃電圧発生器は作動するので、待機衝撃電流として消費される電力の無駄を無くすことができる。これにより、衝撃電流を発生させるために使用される衝撃電圧発生器の電池の消耗が著しく少なくなり、電池の持続時間を著しく延ばすことができる。
【図面の簡単な説明】
【図１】振動検出手段を構成する水銀スイッチの断面図である。
【図２】水銀スイッチを防護帯に取り付けた状態を示す図である。
【図３】図２の拡大図である。
【図４】水銀スイッチを防護帯に取り付けた状態の取り付け部分を示す図であり、（ａ）はその正面図、（ｂ）は平面図、（ｃ）右側面図である。
【図５】水銀スイッチに直流電源を接続して構成する振動検出手段の要部を示す概念図である。
【図６】図５の振動検出手段により検出される電気信号の波形を示す図である。
【図７】振動検出手段の代表的な回路図である。
【図８】衝撃電圧発生器の系統図である。
【図９】衝撃電圧発生器の代表的な回路図である。
【図１０】図９の回路における各箇所の放電中の電圧のタイミングを示すタイミングチャートであり、（ａ）は充放電コンデンサーＣ０の両端電圧、（ｂ）はトリガ信号の電圧、（ｃ）は衝撃電圧である。
【図１１】振動検出手段からの振動検出電気信号により衝撃電圧発生器を作動させるための制御手段を含む代表的な回路図である。
【図１２】一個の水銀スイッチによる振動検出手段の回路図である。
【図１３】三個の水銀スイッチを防護帯に取り付けた状態を示す図である。
【図１４】図１３の拡大図である。
【図１５】三個の水銀スイッチによる振動検出手段の回路（モジュール）の接続例を示す回路図である。
【図１６】図１５の回路（モジュール）と衝撃電圧発生器とを接続した状態の概略回路図である。
【図１７】実際のモジュールの接続状態を示す図である。
【図１８】従来の猿侵入防止用電気柵を示す正面図である。
【図１９】従来の猿侵入防止用電気柵の防護帯に猿が登った状態を示す正面図である。
【符号の説明】
１，１００　衝撃電圧発生器、２　太陽電池、３　バッテリーボックス、４　出力線、５　アース線、６　アース棒、７　支柱、８　防護帯、８Ａ　番線　９　亜鉛メッキ鉄線、１０　吊り具、１１，１２　杭、　１３Ａ，１３Ｂ，１３Ｃ　裸電線、１４　碍子、１５，１６　導線　１７　テグス　３０，３０ａ，３０ｂ，３０ｃ　水銀スイッチ、３１ガラス管、３２　水銀玉、４０　接着剤　７１抵抗、９０Ａ，９０Ｂ　単安定マルチバイブレータ型のタイマー　９１Ａ，９１Ｂ，９２Ａ，９２Ｂ，９３Ａ，９３Ｂ，９６Ａ，９６Ｂ　端子、９４Ａ，９４Ｂ　コンデンサー、９５Ａ，９５Ｂ　抵抗器、９７　ＯＲ回路、９８　ＯＲ回路の出力端子、１０１　直流電源（電池）、１０２　昇圧用ＤＣ−ＤＣコンバータ回路、１０３　トリガ信号発生回路、１０４　充放電回路、１０５　高電圧発生回路、１０７，１８１　出力端子、１７０，１７０ａ，１７０ｂ　３芯のケーブル、１７５　信号線、１７６　プラス線、１７７　マイナス線、ａ，ｂ，ｃ　モジュール、ａ１　カバー
【図１】
2004000063.tif 000003
【図２】
2004000063.tif 000004
【図３】
2004000063.tif 000005
【図４】
2004000063.tif 000006
【図５】
2004000063.tif 000007
【図６】
2004000063.tif 000008
【図７】
2004000063.tif 000009
【図８】
2004000063.tif 000010
【図９】
2004000063.tif 000011
【図１０】
2004000063.tif 000012
【図１１】
2004000063.tif 000013
【図１２】
2004000063.tif 000014
【図１３】
2004000063.tif 000015
【図１４】
2004000063.tif 000016
【図１５】
2004000063.tif 000017
【図１６】
2004000063.tif 000018
【図１７】
2004000063.tif 000019
【図１８】
2004000063.tif 000020
【図１９】
2004000063.tif 000021